(57)【要約】【課題】断熱性を高めることができる建物の内壁パネル設置構造を提供する。【解決手段】建物１０には、床面２６を形成する床面材１６と、天井面２９を形成する天井面材１９とが設けられている。建物１０の外周部には、外壁パネル２１が設けられている。外壁パネル２１の屋内側には、内壁パネル３０が固定されている。内壁パネル３０は、屋内面を形成する内壁材３１と、内壁材３１の裏面側に固定された内壁フレーム３２と、を備えている。内壁パネル３０の上端部及び下端部には、弾性を有する素材からなる長尺状の断熱材３８が各々の端部に沿って取り付けられている。内壁パネル３０は、床面材１６と天井面材１９との間に設けられ、内壁パネル３０の下端部と床面材１６との間及び内壁パネル３０の上端部と天井面材１９との間には断熱材３８が圧縮状態で設けられている。【選択図】図１
2011174259.tif 000002
【特許請求の範囲】
【請求項１】
天井面材と床面材との間に内壁パネルが設置される建物の内壁パネル設置構造であって、
前記内壁パネルの上端部と前記天井面材との間及び前記内壁パネルの下端部と前記床面材との間のうち少なくともいずれかには、弾性を有し前記内壁パネルの上下いずれかの端部に沿って延びるようにして断熱材が圧縮状態で設けられていることを特徴とする建物の内壁パネル設置構造。
【請求項２】
前記内壁パネルは、内壁面を形成する内壁面材と、その内壁面材の裏側に設けられ縦桟と横桟とにより矩形形状に形成された下地フレームとを備えてなり、
前記断熱材は、パネル上端部の横桟又はパネル下端部の横桟に対して取り付けられていることを特徴とする請求項１に記載の建物の内壁パネル設置構造。
【請求項３】
前記内壁パネルと前記天井面材との境界部又は前記内壁パネルと前記床面材との境界部には、その境界部を覆うための見切り材が設けられ、
前記見切り材は、前記内壁パネルの内壁面に当接された見切り部と、前記断熱材と前記天井面材との間又は前記断熱材と前記床面材との間に挿し込まれた楔部とにより断面Ｌ字状に形成されていることを特徴とする請求項１又は２に記載の建物の内壁パネル設置構造。
【請求項４】
前記床面材の上面又は前記天井面材の下面には、前記内壁パネルの設置部においてパネル設置方向に延びる溝部が形成されており、
前記断熱材は、その一部が前記溝部に入り込んだ状態で設けられていることを特徴とする請求項１又は２に記載の建物の内壁パネル設置構造。
【請求項５】
前記溝部は、その溝幅が前記内壁パネルの厚みよりも小さく形成されており、
前記断熱材は、前記内壁パネルの厚み方向において、前記溝部を挟んで両側部分で前記溝部に入り込んでいない部分が設けられていることを特徴とする請求項４に記載の建物の内壁パネル設置構造。
【発明の詳細な説明】
【技術分野】
【０００１】
本発明は、建物の内壁パネル設置構造に関する。
【背景技術】
【０００２】
プレハブ工法により構築されるユニット式建物等の建物では、内壁材やその内壁材を支持する内壁フレームを備えてなる内壁パネルが製造工場において予め組み立てられ、その組み立てられた内壁パネルが建物に対して組み付けられる。例えば特許文献１には、外壁面を形成する外壁パネルの屋内側に内壁パネルが組み付けられる構成が開示されている。かかる構成において、内壁パネルは天井面材と床面材との間に配設され、その場合内壁パネルは天井面材と床面材とが設置された後、外壁パネルに対して組み付けられる。かかる場合、内壁パネルの組み付け作業を容易とするため、通常内壁パネルの高さ寸法は天井面材と床面材との間の離間距離よりも小さく設定されている。
【先行技術文献】
【特許文献】
【０００３】
【特許文献１】特開２００８−１１５６３７号公報
【発明の概要】
【発明が解決しようとする課題】
【０００４】
ところで、上述した内壁パネルの設置構造の場合、内壁パネルを設置した後、内壁パネルの上端部と天井面材との間又は内壁パネルの下端部と床面材との間には隙間が発生することが考えられる。この場合、かかる隙間を介して屋内外で空気の出入りが生じ、建物における断熱性の低下を招くおそれがある。
【０００５】
また、建物において外壁パネルの内側に設けられる内壁パネルだけでなく、その他の場所に設けられる内壁パネルにおいても同様の問題が生じうる。例えば、建物において各空間を仕切るために設けられる間仕切用の内壁パネルについても、天井面材と床面材とが建物に設置された後、それら天井面材と床面材との間に内壁パネルが立設される場合には、上記同様の隙間が発生しうる。この場合、その隙間を介して内壁パネルを挟んだ両側空間（例えば居室空間）の間で空気の出入りが生じ、所望の断熱性を確保できないおそれがある。
【０００６】
本発明は、上記事情に鑑みてなされたものであり、断熱性を高めることができる建物の内壁パネル設置構造を提供することを主たる目的とするものである。
【課題を解決するための手段】
【０００７】
上記課題を解決すべく、第１の発明の建物の内壁パネル設置構造は、天井面材と床面材との間に内壁パネルが設置される建物の内壁パネル設置構造であって、前記内壁パネルの上端部と前記天井面材との間及び前記内壁パネルの下端部と前記床面材との間のうち少なくともいずれかには、弾性を有し前記内壁パネルの上下いずれかの端部に沿って延びるようにして断熱材が圧縮状態で設けられていることを特徴とする。
【０００８】
本発明によれば、内壁パネルの上端部と天井面材との間及び内壁パネルの下端部と床面材との間の少なくともいずれかに断熱材が圧縮状態で設けられているため、断熱材の反発力により断熱材と内壁パネルとが密着し、かつ断熱材と天井面材（又は床面材）とが密着している。この場合、内壁パネルの上端部と天井面材との間又は内壁パネルの下端部と床面材との間を通じて空気の出入りが生じるのを抑制することができるため、断熱性を高めることができる。
【０００９】
第２の発明の建物の内壁パネル設置構造は、第１の発明において、前記内壁パネルは、内壁面を形成する内壁面材と、その内壁面材の裏側に設けられ縦桟と横桟とにより矩形形状に形成された下地フレームとを備えてなり、前記断熱材は、パネル上端部の横桟又はパネル下端部の横桟に対して取り付けられていることを特徴とする。
【００１０】
本発明によれば、内壁パネルの下地フレームにおける上側の横桟又は下側の横桟に断熱材が取り付けられているため、内壁パネルを天井面材と床面材との間に設置することにより、パネル上端部の横桟と天井面材との間又はパネル下端部の横桟と床面材との間に、つまりは内壁パネルの上端部と天井面材との間又は内壁パネルの下端部と床面材との間に断熱材を配設することができる。また、断熱材は、弾性を有しているため内壁パネルの設置に際し邪魔となるのを回避することができる。したがって、この場合内壁パネルの設置工数の増大を抑えつつ、第１の発明の効果を得ることができる。
【００１１】
第３の発明の建物の内壁パネル設置構造は、第１又は第２の発明において、前記内壁パネルと前記天井面材との境界部又は前記内壁パネルと前記床面材との境界部には、その境界部を覆うための見切り材が設けられ、前記見切り材は、前記内壁パネルの内壁面に当接された見切り部と、前記断熱材と前記天井面材との間又は前記断熱材と前記床面材との間に挿し込まれた楔部とにより断面Ｌ字状に形成されていることを特徴とする。
【００１２】
本発明によれば、内壁パネルと天井面材との境界部又は内壁パネルと床面材との境界部に見切り材を設置することで、見切り材の楔部が断熱材と天井面材との間又は断熱材と床面材との間に挿し込まれるため、圧縮状態にある断熱材がさらに圧縮される。この場合、断熱材の反発力を高めることができるため、断熱材と楔部との密着性及び断熱材と内壁パネルとの密着性を高めることができ、その結果気密性の向上を図ることができる。よって、この場合より一層断熱性を高めることができる。なお、見切り材としては、例えば廻り縁や巾木等が挙げられる。
【００１３】
また、見切り機能を有する見切り材を流用して気密性を高めることしたため見切り材の多機能化を図ることができる。そして、見切り材が見切り部と楔部とにより断面略Ｌ字状に形成されているため、見切り材の多機能化を図りつつも構成の簡素化を図ることができる。
【００１４】
また、楔部を断熱材と天井面材との間又は断熱材と床面材との間に挿し込む際には、見切り部を押圧することにより挿し込むことができるため、楔部の挿し込み作業が容易となる利点もある。
【００１５】
さらに、楔部を見切り材とは別部材（例えば専用部材）により構成しても上記の効果を得ることはできるが、その場合構成が煩雑となるおそれがある。その点、本発明では楔部を見切り材と一体としたことで構成が煩雑となるのを抑制しつつ上記の効果を得ることができる。
【００１６】
第４の発明の建物の内壁パネル設置構造は、第１又は第２の発明において、前記床面材の上面又は前記天井面材の下面には、前記内壁パネルの設置部においてパネル設置方向に延びる溝部が形成されており、前記断熱材は、その一部が前記溝部に入り込んだ状態で設けられていることを特徴とする。
【００１７】
本発明によれば、断熱材の一部が天井面材の下面又は床面材の上面に形成された溝部に入り込んでいるため、その溝部に入り込んだ部分において床面又は天井面を伝う空気の流れを断つことができる。これにより、気密性を高めることができるため、より一層断熱性の向上を図ることができる。
【００１８】
第５の発明の建物の内壁パネル設置構造は、第４の発明において、前記溝部は、その溝幅が前記内壁パネルの厚みよりも小さく形成されており、前記断熱材は、前記内壁パネルの厚み方向において、前記溝部を挟んで両側部分で前記溝部に入り込んでいない部分が設けられていることを特徴とする。
【００１９】
本発明によれば、断熱材において溝部に入り込んだ部分が設けられている他、溝部を挟んだ両側部分では溝部に入り込んでいない部分（以下、両側部分という）が設けられている。そのため、断熱材における溝部に入り込んだ部分において床面又は天井面を伝う空気の流れを断つことができるだけでなく、溝部に空気が到達する前に内壁パネルと天井面材（又は床面材）との間で圧縮されている両側部分において空気の侵入を抑制することができる。これにより、より一層断熱性を高めることができる。
【図面の簡単な説明】
【００２０】
【図１】第１の実施形態における内壁パネル周辺の構成を示す縦断面図。
【図２】（ａ）が内壁パネルを示す側面図、（ｂ）が内壁パネルを示す背面図。
【図３】（ａ）が内壁パネルの下端部周辺を拡大して示す縦断面図、（ｂ）が内壁パネルの上端部周辺を拡大して示す縦断面図。
【図４】第２の実施形態における（ａ）が内壁パネルの下端部周辺を拡大して示す縦断面図、（ｂ）が内壁パネルの上端部周辺を拡大して示す縦断面図。
【図５】別の実施形態における床面材に形成された溝部や凸部の断面形状を示す図。
【図６】内壁パネルの設置構成を示す縦断面図。
【図７】可動式パネルが設置された建物の間取りを示す平面図。
【図８】可動式パネルを廊下側から見た図。
【図９】建物全体を示す概略図。
【図１０】ガラス管の設置構成を示す縦断面図。
【発明を実施するための形態】
【００２１】
〔第１の実施形態〕
以下に、本発明を具体化した一実施の形態について図面を参照しつつ説明する。本実施形態では、建物としてユニット式建物について具体化しており、そのユニット式建物は、梁及び柱よりなる複数の建物ユニットを互いに連結することで構成されている。なお、図１は内壁パネル周辺の構成を示す縦断面図である。図２は、（ａ）が内壁パネルを示す側面図、（ｂ）が内壁パネルを示す背面図である。
【００２２】
図１に示すように、建物１０には、床梁１４の上面に床根太１５が設けられ、床根太１５上には床面２６を形成する床面材１６が設けられている。床面材１６は、例えばパーティクルボードにより構成されている。天井梁１７の下面には野縁１８が固定されており、野縁１８の下面には天井面２９を形成する天井面材１９が固定されている。天井面材１９は、例えば２枚重ねの石膏ボードにより構成されている。
【００２３】
建物１０の外周部には、外壁パネル２１が設けられている。外壁パネル２１は、屋外面を形成する外壁材２２と、外壁材２２の裏面側（屋内面側）に固定された外壁フレーム２３とを備えている。外壁材２２は、例えば窯業系サイディング等の外装材により形成されている。
【００２４】
外壁フレーム２３は、断面コ字状の軽量鉄骨材からなる縦フレーム材２３ａ及び横フレーム材２３ｂが矩形枠状に連結されることにより構成されている。外壁フレーム２３の各横フレーム材２３ｂのうち上下の横フレーム材２３ｂは、それぞれ床梁１４及び天井梁１７に対しボルト等により固定されている。これにより、外壁パネル２１が建物１０に対して固定されている。また、外壁フレーム２３の屋内側面には、複数の木レンガ２５がタッピングネジ等により固定されている。
【００２５】
木レンガ２５の屋内側面には、内壁パネル３０が固定されている。図２に示すように、内壁パネル３０は、屋内面を形成する内壁材３１と、内壁材３１の裏面側（屋外面側）に固定された内壁フレーム３２と、を備えている。内壁材３１は、例えば石膏ボードにより形成されている。内壁フレーム３２は、木製の角材からなる複数のフレーム材が矩形枠状に連結されることにより構成されており、内壁材３１と略同じ大きさ（縦横寸法）で形成されている。具体的には、内壁フレーム３２は、内壁材３１の幅方向両端部において上下方向（高さ方向）に延びる縦フレーム材３２ａと、内壁材３１の上下方向両端部において水平方向に延びる横フレーム材３２ｂと、内壁材３１の幅方向中間部において上下方向に延びる中間フレーム材３２ｃとを有している。
【００２６】
図１の説明に戻り、内壁パネル３０は、内壁フレーム３２が木レンガ２５の屋内側面にタッピングネジ等により取り付けられることで固定されている。この設置状態において内壁パネル３０は、床面材１６と天井面材１９との間に配置されている。ここで、内壁パネル３０の高さ寸法ｈ１は床面２６から天井面２９までの高さ寸法Ｈ（以下、天井高さＨという）よりも小さく設定されており（ｈ１＜Ｈ）、それ故床面材１６と天井面材１９との間に内壁パネル３０を設置する際、その設置作業がし易くなっている。
【００２７】
内壁パネル３０の下端部と床面材１６との境界部には、同境界部を覆うための巾木３４が設けられている。巾木３４は、境界部に沿って長尺状に形成されており、例えば硬質系樹脂からなる。一方、内壁パネル３０の上端部と天井面材１９との境界部には、同境界部を覆うための廻り縁３５が設けられている。廻り縁３５は、境界部に沿って長尺状に形成されており、例えば硬質系樹脂からなる。
【００２８】
ところで、本実施形態では、内壁パネル３０の高さ寸法ｈ１が天井高さＨよりも小さくなっているため、内壁パネル３０の上端部と天井面材１９との間又は内壁パネル３０の下端部と床面材１６との間には所定の隙間が発生する。そのため、上記隙間が巾木３４及び廻り縁３５によって覆われているものの上記隙間を介して建物１０の内外で空気の出入りが生じ、その結果断熱性能が低下するおそれがある。そこで、本実施形態では、かかる隙間に当該隙間を埋めるための断熱材を設け、これにより屋内外で空気が出入りするのを抑制し断熱性を高めることとしている。以下、その詳細について、図１及び図２に加え図３を参照しつつ説明する。なお、図３は、（ａ）が内壁パネル３０の下端部周辺を拡大して示す縦断面図、（ｂ）が内壁パネル３０の上端部周辺を拡大して示す縦断面図である。
【００２９】
図１に示すように、内壁パネル３０の下端部と床面材１６との間（以下、これらの間の隙間を隙間３６という）及び内壁パネル３０の上端部と天井面材１９との間（以下、これらの間の隙間を隙間３７という）には、断熱材３８が設けられている。断熱材３８は、図２に示すように、軟質ウレタンフォーム等の弾性を有する素材からなり、長尺状にかつ自然状態において断面矩形形状に形成されている。断熱材３８は、内壁パネル３０の上端部及び下端部にそれぞれ各々の端部に沿って取り付けられており、詳細には内壁パネル３０の幅方向全域に取り付けられている。
【００３０】
図２（ａ）に示すように、断熱材３８は、その幅が内壁パネル３０の厚み（詳しくは内壁材３１の厚みと内壁フレーム３２の厚みとの和）と略同じに設定されている。断熱材３８は、内壁パネル３０の上端部及び下端部において内壁材３１の端面と内壁フレーム３２（詳細には上側及び下側の横フレーム材３２ｂ）の端面とに跨って設けられ、それら各端面に接着剤等により固定されている。なお、本実施形態では、内壁パネル３０を建物１０に設置する前に、断熱材３８が内壁パネル３０に取り付けられる。
【００３１】
内壁パネル３０に断熱材３８が取り付けられた状態では、下側の断熱材３８の下端部から上側の断熱材３８の上端部までの高さ寸法ｈ２が天井高さＨよりも大きくなっている。したがって、図３に示すように、内壁パネル３０が外壁パネル２１に組み付けられた状態では、下側の断熱材３８が内壁パネル３０の下端部と床面材１６との間で圧縮状態で介在されており、上側の断熱材３８が内壁パネル３０の上端部と天井面材１９との間で圧縮状態で介在されている。これにより、隙間３６，３７が断熱材３８により閉塞されるため、内壁パネル３０の下端部と床面材１６との間及び内壁パネル３０の上端部と天井面材１９との間を通じた空気の出入りが遮断される。
【００３２】
ここで、本実施形態では、巾木３４と廻り縁３５とにそれぞれ楔部が設けられており、楔部が断熱材３８と床面材１６との間及び断熱材３８と天井面材１９との間に挿し込まれている。この場合、圧縮状態にある断熱材３８がさらに圧縮されるため、断熱材３８の反発力を高めることができ、その結果断熱材３８と楔部との密着性及び断熱材３８と内壁パネル３０との密着性を高めることができる。以下、その詳細について説明する。
【００３３】
図３（ａ）に示すように、巾木３４は、内壁パネル３０（詳しくは内壁材３１）の屋内面に当接された見切り部３４ａと、見切り部３４ａの下端部から隙間３６側に向かって延びる楔部３４ｂとを有し、全体としてその縦断面が略Ｌ字状をなしている。巾木３４の見切り部３４ａは、内壁材３１の屋内面に接着剤等により固定されている。
【００３４】
楔部３４ｂは、全体として薄板状に形成されており、その先端側（見切り部３４ａから離間する側）に向かうにつれて肉厚が小さくなっている。楔部３４ｂは、断熱材３８と床面材１６との間に屋内側から挿し込まれている。具体的には、楔部３４ｂは、その幅（短手方向の長さ）が内壁パネル３０の厚みよりも小さくなっており、内壁パネル３０の厚み方向において断熱材３８と床面材１６との間の一部に挿入されている。これにより、断熱材３８の一部が楔部３４ｂによって当該楔部３４ｂの厚み分さらに圧縮されている。なお、楔部３４ｂの幅は必ずしも内壁パネル３０の厚みよりも小さくする必要はなく、任意でよい。要は、断熱材３８の幅方向における少なくとも一部が楔部３４ｂにより圧縮できる幅であればよい。
【００３５】
巾木３４は、内壁パネル３０の設置後に、屋内側から楔部３４ｂを断熱材３８と床面材１６との間に挿し込んで取り付けられるものとなっている。ここで、楔部３４ｂは、上述したように先端側（見切り部３４ａから離間する側）に向かうにつれて肉厚が小さくなっているため、断熱材３８と床面材１６との間に挿し込み易くなっている。
【００３６】
図３（ｂ）に示すように、廻り縁３５は、内壁パネル３０（詳しくは内壁材３１）の屋内面に当接された見切り部３５ａと、見切り部３５ａの上端部から隙間３７側に向かって延びる楔部３５ｂとを有し、全体としてその縦断面が略Ｌ字状をなしている。廻り縁３５の見切り部３５ａは、内壁材３１の屋内面に接着剤等により固定されている。
【００３７】
楔部３５ｂは、全体として薄板状に形成されており、その先端側（見切り部３５ａから離間する側）に向かうにつれて肉厚が小さくなっている。楔部３５ｂは、断熱材３８と天井面材１９との間に屋内側から挿し込まれている。具体的には、楔部３５ｂは、その幅（短手方向の長さ）が内壁パネル３０の厚みよりも小さくなっており、内壁パネル３０の厚み方向において断熱材３８と天井面材１９との間の一部に挿入されている。これにより、断熱材３８の一部が楔部３５ｂによって当該楔部３５ｂの厚み分さらに圧縮されている。なお、楔部３５ｂの幅は必ずしも内壁パネル３０の厚みよりも小さくする必要はなく、任意でよい。要は、断熱材３８の幅方向における少なくとも一部が楔部３５ｂにより圧縮できる幅であればよい。
【００３８】
廻り縁３５は、内壁パネル３０の設置後に、屋内側から楔部３５ｂを断熱材３８と天井面材１９との間に挿し込んで取り付けられるものとなっている。ここで、楔部３５ｂは、上述したように先端側（見切り部３５ａから離間する側）に向かうにつれて肉厚が小さくなっているため、そのため断熱材３８と天井面材１９との間に挿し込み易くなっている。
【００３９】
以上、詳述した本実施形態の構成によれば、以下の優れた効果が得られる。
【００４０】
内壁パネル３０の下端部と床面材１６との間及び内壁パネル３０の上端部と天井面材１９との間に断熱材３８を圧縮状態で介在させたため、断熱材３８の反発力により断熱材３８と内壁パネル３０とが密着し、かつ断熱材３８と天井面材１９（及び床面材１６）とが密着している。この場合、内壁パネル３０の上端部と天井面材１９との間及び内壁パネル３０の下端部と床面材１６との間を通じて空気の出入りが生じるのを抑制することができるため、断熱性を高めることができる。
【００４１】
断熱材３８を内壁パネル３０の上端部及び下端部に取り付ける構成としたため、断熱材３８が取り付けられた内壁パネル３０を床面材１６と天井面材１９との間に設置するだけで、内壁パネル３０の上端部と天井面材１９との間及び内壁パネル３０の下端部と床面材１６との間に断熱材３８を配設することができる。また、断熱材３８は、弾性を有しているため内壁パネル３０の設置に際し邪魔となるのを回避することができる。したがって、この場合、内壁パネル３０の設置工数の増大を抑えつつ上記の効果を得ることができる。
【００４２】
また、内壁パネル３０の設置に際し、内壁パネル３０の上端部が天井面材１９に接触したり内壁パネル３０の下端部が床面材１６に接触したりして床面材１６又は天井面材１９が傷付くのを、内壁パネル３０の上下両端部に取り付けられた断熱材３８により防止することもできる。
【００４３】
断熱材３８と床面材１６との間には、巾木３４の楔部３４ｂが挿し込まれ、断熱材３８と天井面材１９との間には、廻り縁３５の楔部３５ｂが挿し込まれている。この場合、圧縮状態にある断熱材３８をさらに圧縮することができるため、断熱材３８と楔部３４ｂ，３５ｂとの密着性及び断熱材３８と内壁パネル３０との密着性を高めることができる。これにより、気密性の向上を図ることができ、より一層断熱性を高めることができる。
【００４４】
巾木３４及び廻り縁３５といった見切り材により楔部３４ｂ，３５ｂを構成したため、楔部３４ｂ，３５ｂを専用部材により構成する必要はなく、それ故気密性の向上効果を簡素な構成で得ることができる。
【００４５】
また、巾木３４の楔部３４ｂを内壁パネル３０と床面材１６との間に挿し込む際には見切り部３４ａを押圧することにより、また廻り縁３５の楔部３５ｂを内壁パネル３０と天井面材１９との間に挿し込む際には見切り部３５ａを押圧することにより挿し込むことができるため、挿し込み作業が容易となる利点もある。
【００４６】
また、巾木３４及び廻り縁３５を、楔部３４ｂ，３５ｂと隙間を覆う見切り部３４ａ，３５ａとにより断面略Ｌ字状に形成したため、巾木３４及び廻り縁３５の多機能化を図りつつも構成を簡素化することができる。
【００４７】
〔第２の実施形態〕
本実施形態では、上記隙間３６，３７を断熱材３８により閉塞するための構成が第１の実施形態とは異なる。そこで、以下に、本実施形態における構成を第１の実施形態との相違点を中心に説明する。図４は、（ａ）が内壁パネル３０の下端部周辺を拡大して示す縦断面図、（ｂ）が内壁パネル３０の上端部周辺を拡大して示す縦断面図である。なお、図４では、第１の実施形態と同一の構成については同一の符号を付してその説明を省略する。
【００４８】
図４（ａ）に示すように、本実施形態における床面材１６の床面２６には、内壁パネル３０の設置部において同パネル３０の設置方向に沿って延びる床溝部４１が形成されている。床溝部４１は、矩形形状の断面を有しており、その溝幅が内壁パネル３０の厚みよりも小さくなっている。
【００４９】
内壁パネル３０は、床溝部４１の上方に設けられており、具体的にはその厚み方向において床溝部４１を跨ぐようにして設けられている。より詳しくは、内壁パネル３０は、その厚み方向における両端部の略中央に床溝部４１が位置するように設けられている。
【００５０】
内壁パネル３０の下端部と床面材１６との間において、断熱材３８は、床溝部４１を挟んで両側の部分（以下、両側部４６という）が内壁パネル３０の下端部と床面材１６の床面２６との間に圧縮状態で介在されている。そして、断熱材３８における両側部４６に挟まれた部分においては、その一部が自らの弾性力により床溝部４１内に突出した状態で入り込んでいる。詳しくは、断熱材３８におけるその突出部４７は、床溝部４１において、床溝部４１の両側面（溝幅方向において対向し合う一対の側面）及び底面に当接されている。
【００５１】
なお、本実施形態では、第１の実施形態における巾木３４に代えて、平板状の巾木４４が内壁パネル３０の内壁面に取り付けられている。
【００５２】
図４（ｂ）に示すように、天井面材１９の天井面２９には、内壁パネル３０の設置部において同パネル３０の設置方向に沿って延びる天井溝部４３が形成されている。本実施形態では、天井面材１９を構成する二枚重ねの石膏ボードのうち下側の石膏ボードに上下に貫通するスリットが設けられ、これにより天井溝部４３が形成されている。天井溝部４３は、矩形形状の断面を有しており、その溝幅が内壁パネル３０の厚みよりも小さくなっている。
【００５３】
内壁パネル３０は、天井溝部４３の下方に設けられており、具体的にはその厚み方向において天井溝部４３を跨ぐようにして設けられている。より詳しくは、内壁パネル３０は、その厚み方向における両端部の略中央に天井溝部４３が位置するように設けられている。
【００５４】
内壁パネル３０の上端部と天井面材１９との間において、断熱材３８は、天井溝部４３を挟んで両側の部分（以下、両側部４８という）が内壁パネル３０の上端部と天井面材１９の天井面２９との間に圧縮状態で介在されている。そして、断熱材３８における両側部４８に挟まれた部分においては、その一部が自らの弾性力により天井溝部４３内に突出した状態で挿入されている。詳しくは、断熱材３８におけるその突出部４９は、天井溝部４３において、天井溝部４３の両側面（溝幅方向において対向し合う一対の側面）及び底面に当接されている。
【００５５】
なお、本実施形態では、第１の実施形態における廻り縁３５に代えて、平板状の廻り縁４５が内壁パネル３０の内壁面に取り付けられている。
【００５６】
以上、詳述した本実施形態の構成によれば、以下の優れた効果が得られる。
【００５７】
床面材１６の床面２６及び天井面材１９の天井面２９に、内壁パネル３０の設置部において同パネル３０の設置方向に沿って延びる溝部４１，４３を形成し、断熱材３８をその一部が溝部４１，４３に入り込むようにして設けた。この場合、断熱材３８における溝部４１，４３に入り込んだ部分において床面２６及び天井面２９を伝う空気の流れを断つことができるため、気密性を高めることができる。そのため、より一層断熱性を高めることができる。
【００５８】
具体的には、溝部４１，４３の溝幅を内壁パネル３０の厚みよりも小さく形成した。そして、断熱材３８において、溝部４１，４３を挟んだ両側部分に溝部４１，４３に入り込んでいない部分（両側部４６，４８）を設けた。この場合、断熱材３８における溝部４１，４３に入り込んだ部分（突出部４７，４９）において床面２６及び天井面２９を伝う空気の流れを断つことができるだけでなく、溝部４１，４３に空気が到達する前に内壁パネル３０と床面材１６との間及び内壁パネル３０と天井面材１９との間で圧縮されている両側部４６，４８において空気の侵入を抑制することができる。これにより、より一層断熱性を高めることができる。
【００５９】
〔他の実施形態〕
本発明は上記実施形態に限らず、例えば次のように実施されてもよい。
【００６０】
（１）上記各実施形態では、内壁パネル３０の下端部と床面材１６との間及び内壁パネル３０の上端部と天井面材１９との間に断熱材３８を設けたが、断熱材３８を内壁パネル３０の下端部と床面材１６との間及び内壁パネル３０の上端部と天井面材１９との間のうちいずれか一方にのみ設けてもよい。例えば、内壁パネル３０を床面材１６上に載置した状態で組み付ける場合には、内壁パネル３０の下端部と床面材１６との間に隙間３６が生じないことがあるが、その場合には内壁パネル３０の上端部と天井面材１９との間にのみ断熱材３８を設ければよい。
【００６１】
（２）上記各実施形態では、内壁パネル３０に対して断熱材３８を取り付ける構成としたが、これを変更して、床面材１６及び天井面材１９に断熱材３８を接着材等で取り付ける構成としてもよい。この場合においても、内壁パネル３０の設置とともに断熱材３８を内壁パネル３０の下端部と床面材１６との間及び内壁パネル３０の上端部と天井面材１９との間に配設することができる。また、内壁パネル３０を設置した後、断熱材３８を圧縮して隙間３６，３７に挿し込むことにより断熱材３８を設けるようにしてもよい。
【００６２】
（３）上記各実施形態では、断熱材３８の幅を内壁パネル３０の厚み寸法と略同じとし、断熱材３８を内壁パネル３０の上下両端部において内壁材３１と内壁フレーム３２とに跨ぐようにして取り付けたが、これを変更してもよい。例えば、断熱材３８の幅を内壁パネル３０の厚みよりも小さくして、断熱材３８を内壁パネル３０において内壁材３１及び内壁フレーム３２のいずれかにのみ取り付けてもよい。例えば、内壁フレーム３２にのみ取り付けるようにすれば、内壁パネル３０を設置した際に断熱材３８が隙間３６，３７から側方に突出するのを抑制できるため、巾木３４又は廻り縁３５を取り付ける際に断熱材３８が邪魔となるのを抑制できる。
【００６３】
（４）上記第１の実施形態では、巾木３４及び廻り縁３５といった見切り材により楔部３４ｂ，３５ｂを構成したが、楔部３４ｂ，３５ｂは必ずしも見切り材により構成する必要はなく、その他の部材（例えば専用部材）により構成してもよい。また、楔部を設けない構成としてもよい。
【００６４】
（５）上記第２の実施形態では、床溝部４１及び天井溝部４３の断面形状を矩形形状としたが、それら各溝部４１，４３の断面形状はその他の形状であってもよい。例えば、図５（ａ）に示すように、床溝部を、三角形状の断面を有する床溝部６５としてもよいし、図５（ｂ）に示すように半円状の断面を有する床溝部６６としてもよい。
【００６５】
また、床面２６及び天井面２９に溝部４１，４３を設けるのに代えて、凸部を設けてもよい。例えば、図５（ｃ）に示すように、床面２６に矩形形状の断面を有する凸部６７を、内壁パネル３０の下端部に沿って延びるように設けることが考えられる。この場合、断熱材３８が凸部６７によって一部凹ませられた状態で隙間３６に介在される。そして、凸部６７によって床面２６を伝う空気の流れを断つことができるため、上記第２の実施形態と同様、気密性を高めることができる。
【００６６】
また、図５（ｄ）に示すように、床面２６に凹凸部６８を設けてもよい。この場合、断熱材３８が凹凸部６８によりその凹凸に沿って変形されるため、その変形により生じた凹凸によって床面２６を伝う空気の流れを断つことができる。そのため、気密性を高めることができる。
【００６７】
なお、上記第２の実施形態では、溝部として床溝部４１と天井溝部４３とを設けたが、これを変更して、それらの溝部４１，４３のうちいずれか一方だけ設けるようにしてもよい。また、いずれの溝部４１，４３をも設けない構成としてもよい。
【００６８】
（６）上記第２の実施形態では、床溝部４１の溝幅を内壁パネル３０の厚みよりも小さくし、断熱材３８の幅方向における一部だけを床溝部４１に入り込ませたが、これを変更してもよい。例えば、図５（ｅ）に示すように、床溝部６９の溝幅を内壁パネル３０の厚みと略同じとし、断熱材３８の幅方向全域を床溝部６９に配設するようにしてもよい。この場合、気密性を高めることができるとともに、内壁パネル３０の設置に際し、断熱材３８を床溝部６９に係合させて内壁パネル３０を位置決めすることができる。そのため、内壁パネル３０の設置作業を容易とすることもできる。
【００６９】
（７）上記各実施形態では、建物１０において外壁パネル２１の内側に設けられる内壁パネル３０に対して本発明を適用したが、外壁パネル２１の内側以外に設けられる内壁パネルに対し本発明を適用してもよい。例えば、建物１０において屋内空間を複数に仕切るための間仕切用の内壁パネルに対して適用してもよい。その一例を図６に示す。図６に示す間仕切用の内壁パネル５０は、床面材５３と天井面材５４との間に設けられ、隣接する居室６１，６２同士を仕切っている。内壁パネル５０は、対向する２枚の内壁材５１と、それら内壁材５１の間に設けられた内壁フレーム５２とを備えている。内壁パネル５０の下端部と床面材５３との間及び内壁パネル５０の上端部と天井面材５４との間には、断熱材３８が圧縮状態で設けられている。
【００７０】
内壁パネル５０の下端部と床面材５３との境界部には、Ｌ字状の板材からなる巾木５７が設けられている。巾木５７は、内壁パネル５０の内壁面に当接された垂直板部５７ａと、床面材５３の床面に当接された水平板部５７ｂとを備えている。巾木５７の垂直板部５７ａは、内壁材５１を介して内壁フレーム５２にタッピングネジ等で固定され、水平板部５７ｂは床面材５３を下方から支持する床梁６０等に当該床面材５３を介してボルト等で固定されている。
【００７１】
内壁パネル５０の上端部と天井面材５４との境界部には、Ｌ字状の板材からなる廻り縁５８が設けられている。廻り縁５８は、例えば巾木５７と同一部材からなり、内壁パネル５０の内壁面に当接された垂直板部５８ａと、天井面材５４の天井面に当接された水平板部５８ｂとを備えている。廻り縁５８の垂直板部５８ａは、内壁材５１を介して内壁フレーム５２にタッピングネジ等で固定され、水平板部５８ｂは天井面材５４を支持する野縁５９等に当該天井面材５４を介してボルト等で固定されている。よって、本例では、巾木５７及び廻り縁５８が見切り材として役目を有しているだけでなく、内壁パネル５０を建物に固定する役目を有している。
【００７２】
上記構成によれば、内壁パネル５０を挟んだ両側の居室６１，６２間で、内壁パネル５０の下端部と床面材５３との間及び内壁パネル５０の上端部と天井面材５４との間を通じて空気が流通するのを遮断できるため、居室６１，６２における断熱性の向上を図ることができる。
【００７３】
（８）本発明を可動式の内壁パネルに対して適用してもよい。その一例を図７に示す。図に示す建物７０は、リビング７１や和室７２等の居室と、リビング７１及び和室７２と隣接する廊下７３とを備えている。リビング７１と廊下７３とを仕切る仕切壁７４の一部は可動式のパネル７５により構成されており、その可動式パネル７５は幅方向の端部において回動可能に軸支されている。これにより、可動式パネル７５は、仕切壁７４の一部を構成する第一位置（図の実線参照）と、廊下７３側に回動されてその回動先端部が和室７２と廊下７３とを仕切る仕切壁７６に当接される第二位置（図の一点鎖線参照）との間で回動可能とされている。可動式パネル７５が第二位置にある場合には、リビング７１と廊下７３とを連続させることができるため、リビング空間を拡張させることができる。つまり、本建物７０では、リビング空間の広さが変更可能となっている。
【００７４】
図８に示すように、可動式パネル７５の上端部と廊下７３の天井面７８との間及び可動式パネル７５の下端部と廊下７３の床面７９との間には、可動式パネル７５の円滑な移動を考慮して、所定の隙間８１，８２が設けられている。しかしながら、可動式パネル７５の設置時には、この隙間８１，８２を介して廊下７３側からリビング７１に冷気が入る等することが考えられる。そこで、本例では、可動式パネル７５の上端部及び下端部に、上記隙間８１，８２を塞ぐための断熱材３８を取り付けている。そのため、可動式パネル７５の設置時においてリビング空間の気密性を高めることができるため、所望の断熱性を確保しつつリビング空間の広さを変更することができる。また、可動式パネル７５の移動に際して、断熱材３８が天井面７８及び床面７９と接触することとなるが、断熱材３８は弾性を有しているため可動式パネル７５の移動を大きく妨げることはない。
【００７５】
なお、上記の構成において、可動式パネル７５の下端部に車輪等の回転体を取り付けるとともに床面７９にレール溝を形成し、そのレール溝に沿って回転体を移動させることで可動式パネル７５を回動させてもよい。そうすれば、可動式パネル７５をより円滑に移動させることが期待できる。また、この場合、レール溝には同レール溝を覆うための蓋部を着脱自在に取り付けるのが好ましい。具体的には、蓋部を、その露出面が床面７９と略面一となるように設けるのが望ましい。そうすれば、可動式パネル７５の設置時には、レール溝に蓋部を取り付けることで床面７９の見栄えが損なわれるのを抑制できるとともに、廊下７３における円滑な歩行が妨げられるのを回避できる。
【００７６】
（９）上記各実施形態では、内壁パネル３０の上端部と天井面材１９との間の隙間３７に断熱材３８を設けたが、これを変更して以下では、かかる隙間にガラス管等の易破損部材を設けた場合について説明する。
【００７７】
図９に示すように、建物９０は、一階部分９１と二階部分９２とを有する二階建ての建物である。一階部分９１及び二階部分９２には、それぞれ間仕切パネル９９が設けられている。一階部分９１の間仕切パネル９９は、一階床部９３に対してのみ固定されており、当該間仕切パネル９９の上端部と一階天井部を構成する階間部９４との間には所定の隙間９６が設けられている。また、二階部分９２の間仕切パネル９９は、二階床部を構成する階間部９４に対してのみ固定されており、当該間仕切パネル９９の上端部と二階天井部９５との間にも、一階部分９１と同様に所定の隙間９６が設けられている。したがって、本例では、間仕切パネル９９が耐力壁を構成していない。そして、上記の隙間９６には易破損部材としてのガラス管１００が設けられている。
【００７８】
次に、そのガラス管１００の設置構成について図１０に基づいて説明する。図１０は、二階部分９２における間仕切パネル９９の上端部周辺を拡大して示している。二階天井部９５における構成について説明すると、天井梁１０１の下面には野縁１０２が取り付けられ、野縁１０２の下面には天井面材１０３が取り付けられている。上記隙間９６は、間仕切パネル９９の上端部と天井面材１０３との間に設けられており、この隙間９６は例えば１９ｍｍに設定されている。
【００７９】
ガラス管１００は、間仕切パネル９９の厚みよりも大きい長さを有して形成されており、その一部が間仕切パネル９９から側方に突出するようにして間仕切パネル９９上に横向きの状態で設置されている。ガラス管１００は、例えばその外径（高さ寸法）が９ｍｍに設定されており、それ故ガラス管１００の上端部と天井面材１０３との間には１０ｍｍの隙間が設けられている。なお、一階部分９１についても同様の構成でガラス管１００が隙間９６に設けられている。
【００８０】
ここで、図１０（ｂ）に示すように、建物９０の経年変化によって二階天井部９５（一階部分９１においては階間部９４）が下方にたわみ、上記隙間９６が９ｍｍ以下となると、ガラス管１００が天井面材１０３と間仕切パネル９９との間に挟まれて破損する。この場合、上述したようにガラス管１００の一部が間仕切パネル９９から側方に突出していることから、ガラス管１００の破片の少なくとも一部が床上に落下する。そのため、建物９０において床部や天井部にたわみが生じたことを、ひいては建物９０が経年変化により変形したことを容易に確認することができ、老朽化した箇所をメンテナンスする等適切な対応をとることが可能となる。これにより、さらなる経年変化により建物９０に著しい損傷が発生するのを未然に回避することができる。
【００８１】
なお、ガラス管１００は必ずしも間仕切パネル９９の上端部に設ける必要はなく、その他の部位に設けてもよい。例えば、間仕切パネル９９を、その側端部が建物９０の外壁部１０７と近接するように配置し、間仕切パネル９９の側端部と外壁部１０７との間にガラス管１００を設けてもよい。そうすれば、外壁部１０７が所定以上傾くとガラス管１００が破損するため、上記同様建物９０が経年変化したことを知ることができる。
【００８２】
また、易破損部材には必ずしもガラス管１００を用いる必要はなく、セラミック製の管等その他の部材を用いてもよい。要は、圧縮力が作用することで容易に割れる部材であれば何でもよい。
【００８３】
（１１）上記実施形態では、ユニット式建物への適用例を説明したが、鉄骨軸組工法により構築される建物や、在来木造工法により構築される建物等、他の構造の建物にも本発明を適用することができる。
【符号の説明】
【００８４】
１０…建物、１６…床面材、１９…天井面材、２６…床面、２９…天井面、３０…内壁パネル、３２…下地フレームとしての内壁フレーム、３２ａ…縦桟としての縦フレーム材、３２ｂ…横桟としての横フレーム材、３４…見切り材としての巾木、３４ａ…見切り部、３４ｂ…楔部、３５…見切り材としての廻り縁、３５ａ…見切り部、３５ｂ…楔部、３６，３７…隙間、３８…断熱材、４１…溝部としての床溝部、４３…溝部としての天井溝部。
【図１】
2011174259.tif 000003
【図２】
2011174259.tif 000004
【図３】
2011174259.tif 000005
【図４】
2011174259.tif 000006
【図５】
2011174259.tif 000007
【図６】
2011174259.tif 000008
【図７】
2011174259.tif 000009
【図８】
2011174259.tif 000010
【図９】
2011174259.tif 000011
【図１０】
2011174259.tif 000012